(57)【要約】【課題】加熱対象の形状や材質に応じて、誘導コイルを備えた加熱ヘッドを容易に交換できる電磁誘導加熱装置を提供する。【解決手段】電磁誘導加熱装置１０は、電源に接続される電源側ユニット１２と、誘導コイル３４を内部に有する加熱ヘッド３０により構成される。電源側ユニット１２は、電源に接続される円弧状の一対の受部２０Ａ，２０Ｂを有する。加熱ヘッド３０は、誘導コイル３４の端部３４Ａ，３４Ｂに接続される凸状のプラグ３８Ａ，３８Ｂを有している。加熱ヘッド３０のプラグ３８Ａ，３８Ｂを、電源側ユニット１２の差込口１８Ａ，１８Ｂに差し込んで回転させると、プラグ３８Ａ，３８Ｂと受部２０Ａ，２０Ｂが電気的及び機械的に接続される。加熱ヘッド３０を逆方向に回転させ、プラグ３８Ａ，３８Ｂを差込口１８Ａ，１８Ｂから抜くと、加熱ヘッド３０を取り外して他の加熱ヘッドと交換できる。【選択図】図１
2014142169.tif 000002
【特許請求の範囲】
【請求項１】
対象物に接触して加熱による加工を施すための電磁誘導加熱装置であって、
電源を内蔵し、又は、外部の電源に接続される電源側ユニットと、
該電源側ユニットに対して着脱可能であって、内部に、前記対象物に接触させる部分に相当する範囲内で誘導コイルが設けられた加熱ヘッドと、
を備えており、
前記電源と誘導コイルは、
前記電源側ユニットに設けられており前記電源に電気的に接続する第１の接続部と、前記加熱ヘッド側に設けられており前記誘導コイルに電気的に接続する第２の接続部との接続により電気的及び機械的に接続され、
前記第１及び第２の接続部は、一方が差込用の凸部をなし、他方が前記凸部を差し込み可能な凹部をなすことを特徴とする電磁誘導加熱装置。
【請求項２】
前記電源が、携帯可能な外部電源であって、
該外部電源のケースの外面に、該外部電源に電気的に接続する前記第１の接続部を設け、
該第１の接続部と前記第２の接続部との接続により、
前記加熱ヘッドを、前記外部電源のケースに対して電気的及び機械的に接続可能としたことを特徴とする請求項１記載の電磁誘導加熱装置。
【請求項３】
前記第１及び第２の接続部の接続状態を解除可能にロックするロック機構を備えたことを特徴とする請求項１又は２記載の電磁誘導加熱装置。
【請求項４】
前記第１及び第２の接続部のうち、凹部を形成する接続部は、前記凸部が差し込まれた後に一定範囲内で回転可能な円弧状に形成されており、回転によって前記第１及び第２の接続部の接続状態のロック及び解除を行うことを特徴とする請求項３記載の電磁誘導加熱装置。
【請求項５】
前記電源側ユニットに、操作用の取手を設けたことを特徴とする請求項１〜４のいずれか一項に記載の電磁誘導加熱装置。
【請求項６】
前記加熱ヘッドは、前記対象物に接触させる側にテーパないし曲面形状を有することを特徴とする請求項１〜５のいずれか一項に記載の電磁誘導加熱装置。
【請求項７】
前記加熱ヘッドの外側に、前記対象物に接触させる範囲で金属層を設けたことを特徴とする請求項１〜６のいずれか一項に記載の電磁誘導加熱装置。
【請求項８】
前記加熱ヘッドと前記金属層の間に、空気層を形成するためのスペーサを設けたことを特徴とする請求項７記載の電磁誘導加熱装置。
【請求項９】
前記金属層が、前記加熱ヘッドに対して着脱可能であることを特徴とする請求項７又は８記載の電磁誘導加熱装置。
【請求項１０】
前記金属層は、前記対象物に接触させる側の面に、凹凸，テーパ，曲面のいずれかを有することを特徴とする請求項７〜９のいずれか一項に記載の電磁誘導加熱装置。
【請求項１１】
請求項１〜１０のいずれか一項に記載の電磁誘導加熱装置に用いられることを特徴とする電源側ユニット。
【請求項１２】
請求項１〜１０のいずれか一項に記載の電磁誘導加熱装置に用いられることを特徴とする加熱ヘッド。
【発明の詳細な説明】
【技術分野】
【０００１】
本発明は、電磁誘導加熱装置，その電源側ユニット及び加熱ヘッドに関し、更に具体的には、金属板やベニヤ板等の建材をその他の部材に接合したり、対象物を変形したりするための加熱加工用の電磁誘導加熱装置，その電源側ユニット及び加熱ヘッドに関するものである。
【背景技術】
【０００２】
例えば、家屋などを建築する際、化粧材を壁材などに貼り付けて内装仕上げを行うにあたり、下記特許文献１に記載のポータブル式接着装置が利用される。当該特許文献１に記載のポータブル式接着装置は、第１被接着部材と第２被接着部材とを接着剤及び導電性発熱部材を介して接着するポータブル式接着装置であって、作業者により把持される取手部が設けられる接着装置本体と、前記接着装置本体内に組み込まれ、前記導電性発熱部材を電磁誘導加熱により発熱させてこれに接触している前記接着剤を加熱するコイルと前記コイルに接続され前記コイルに対して高周波を供給する高周波発生部とを有することを特徴としている。
【先行技術文献】
【特許文献】
【０００３】
【特許文献１】特開平８−１４３８２５号公報
【発明の概要】
【発明が解決しようとする課題】
【０００４】
しかしながら、前記特許文献１に記載の技術では、加熱対象の形状や面積等に応じて、加熱ヘッドを使い分けるためには、装置自体を複数種類用意しなければならない。また、被加熱部材側に導電性発熱部材層がなくては発熱しないため、加熱対象の材質によっては使用できないという不都合がある。【０００５】
本発明は、以上のような点に着目したもので、加熱対象の形状や面積，あるいは材質に応じて、誘導コイルを備えた加熱ヘッドを容易に交換することができる電磁誘導加熱装置，その電源側ユニット及び加熱ヘッドを提供することを、その目的とする。
【課題を解決するための手段】
【０００６】
本発明は、対象物に接触して加熱による加工を施すための電磁誘導加熱装置であって、電源を内蔵し、又は、外部の電源に接続される電源側ユニットと、該電源側ユニットに対して着脱可能であって、内部に、前記対象物に接触させる部分に相当する範囲内で誘導コイルが設けられた加熱ヘッドと、を備えており、前記電源と誘導コイルは、前記電源側ユニットに設けられており前記電源に電気的に接続する第１の接続部と、前記加熱ヘッド側に設けられており前記誘導コイルに電気的に接続する第２の接続部との接続により電気的及び機械的に接続され、前記第１及び第２の接続部は、一方が差込用の凸部をなし、他方が前記凸部を差し込み可能な凹部をなすことを特徴とする。【０００７】
主要な形態の一つは、前記電源が、携帯可能な外部電源であって、該外部電源のケースの外面に、該外部電源に電気的に接続する前記第１の接続部を設け、該第１の接続部と前記第２の接続部との接続により、前記加熱ヘッドを、前記外部電源のケースに対して電気的及び機械的に接続可能としたことを特徴とする。他の形態は、前記第１及び第２の接続部の接続状態を解除可能にロックするロック機構を備えたことを特徴とする。他の形態は、前記第１及び第２の接続部のうち、凹部を形成する接続部は、前記凸部が差し込まれた後に一定範囲内で回転可能な円弧状に形成されており、回転によって前記第１及び第２の接続部の接続状態をロック及び解除することを特徴とする。【０００８】
更に他の形態は、前記電源側ユニットに、操作用の取手を設けたことを特徴とする。更に他の形態は、前記加熱ヘッドは、前記対象物に接触させる側にテーパないし曲面形状を有することを特徴とする。更に他の形態は、前記加熱ヘッドの外側に、前記対象物に接触させる範囲で金属層を設けたことを特徴とする。更に他の形態は、前記加熱ヘッドと前記金属層の間に、空気層を形成するためのスペーサを設けたことを特徴とする。更に他の形態は、前記金属層が、前記加熱ヘッドに対して着脱可能であることを特徴とする。更に他の形態は、前記金属層は、前記対象物に接触させる側の面に、凹凸，テーパ，曲面のいずれかを有することを特徴とする。【０００９】
本発明の電源側ユニットは、前記いずれかに記載の電磁誘導加熱装置に用いられることを特徴とする。本発明の加熱ヘッドは、前記いずれかに記載の電磁誘導加熱装置に用いられることを特徴とする。本発明の前記及び他の目的，特徴，利点は、以下の詳細な説明及び添付図面から明瞭になろう。
【発明の効果】
【００１０】
本発明によれば、電磁誘導加熱装置は、電源に電気的に接続される第１の接続部を有する電源側ユニットと、内部に誘導コイルを有しており該誘導コイルと電気的に接続する第２の接続部を有する加熱ヘッドとを備えている。そして、前記第１及び第２の接続部の一方を差込用の凸部とし、他方を前記凸部が差し込み可能な凹部としたので、前記第１及び第２の接続部の接続により、電源側ユニットと加熱ヘッドが、着脱可能に電気的及び機械的に接続される。このため、加熱対象の形状，大きさ，素材，加工目的等に応じて、加熱ヘッドを容易に交換することが可能である。
【図面の簡単な説明】
【００１１】
【図１】本発明の電磁誘導加熱装置を示す図であり、(A)は実施例１の分解斜視図，(B)は前記(A)を＃Ａ−＃Ａ線に沿って切断し矢印方向に見た断面図，(C)は実施例１の変形例を示す図である。
【図２】本発明の電磁誘導加熱装置の使用状態を示す図であり、(A)は実施例１を示す図であり、(B)〜(E)は実施例１の変形例を示す図である。
【図３】本発明の他の実施例を示す図である。
【図４】本発明の他の実施例を示す図である。
【発明を実施するための形態】
【００１２】
以下、本発明を実施するための最良の形態を、実施例に基づいて詳細に説明する。
【実施例１】
【００１３】
最初に、図１(A)及び(B)と、図２(A)を参照しながら、本発明の実施例１について説明する。図１(A)は本実施例の電磁誘導加熱装置の分解斜視図，(B)は前記(A)を＃Ａ−＃Ａ線に沿って切断し矢印方向に見た断面図である。図２(A)は本実施例の電磁誘導加熱装置の使用状態を示す断面図である。本発明の電磁誘導加熱装置は、加熱による接着，変形などの各種の加熱加工に適用可能であるが、本実施例では、装飾パネルや化粧パネル等、家具・建具・間仕切り・天井・床等の各種建材として用いられる積層パネルの接着に適用した例である。【００１４】
図１(A)に示すように、本実施例の電磁誘導加熱装置１０は、図示しない電源に接続される電源側ユニット１２と、該電源側ユニット１２に対して着脱可能であって、内部に誘導コイル３４が設けられた加熱ヘッド３０により構成される。前記電源側ユニット１２には、ケース１４の内側に、電源との電気的接続が可能な略円弧状凹部の一対の受部２０Ａ，２０Ｂが形成されている。該受部２０Ａ，２０Ｂは、例えば、リード線２４Ａ，２４Ｂに接続されており、該リード線２４Ａ，２４Ｂは、コード２６としてまとめられ、ケース１４の外部に設けられた図示しない高周波電流を供給するための電源に接続されている。また、前記受部２０Ａ，２０Ｂには、後述する加熱ヘッド３０側のプラグ３８Ａ，３８Ｂを差し込むための差込口１８Ａ，１８Ｂが形成されている。このような電源側ユニット１２は、ケース１４の一方の主面に操作用の取手１６が設けられている。【００１５】
一方、加熱ヘッド３０は、例えば、耐熱性樹脂により形成されたケース３２の内部に、誘導コイル３４が設けられている。本実施例では、前記誘導コイル３４は、平面渦巻き状であって、図１(A)及び(B)に示すように、ケース３２の表面３２Ａ側であって、加熱対象に接触させる範囲内において形成されている。前記誘導コイル３４の一方の端部３４Ａは、リード線３６Ａに接続され、他方の端部３４Ｂは、リード線３６Ｂに接続されている。そして、これらリード線３６Ａ，３６Ｂは、ケース３２の背面３２Ｂに設けられたプラグ３８Ａ，３８Ｂにそれぞれ接続されている。前記プラグ３８Ａ，３８Ｂは、前記電源側ユニット１２の差込口１８Ａ，１８Ｂに差し込んだ後、差込口１８Ａ，１８Ｂの円弧形状に沿って回転可能な形状及び寸法に設定されている。【００１６】
そして、前記プラグ３８Ａ，３８Ｂを前記差込口１８Ａ，１８Ｂに差し込み、円弧形状に沿って回転が止まるまで回すことで、加熱ヘッド３０が電源側ユニット１２に取り付けられた状態でロックされる。この状態では、プラグ３８Ａ，３８Ｂが導電性を有する一対の受部２０Ａ，２０Ｂに接触しており、これら受部２０Ａ，２０Ｂが、リード線２４Ａ，２４Ｂ及びコード２６を介して外部の電源に接続されているので、誘導コイル３４と電源が電気的に接続された状態となるとともに、加熱ヘッド３０と電源側ユニット１２が機械的にも接続された状態となる。電源側ユニット１２に固定された加熱ヘッド３０は、取り付け時と逆方向に回転させることでロックが解除され、プラグ３８Ａ，３８Ｂを差込口１８Ａ，１８Ｂから抜き取ることで、電源側ユニット１２から取り外し可能である。このように、本実施例では、プラグ３８Ａ，３８Ｂと、受部２０Ａ，２０Ｂからなるコネクタ部分は、電気的接続部と機械的接続部を兼用している。その後、必要に応じて、他の形状や寸法の加熱ヘッド（例えば、後述の図３(A-1)，(A-2)，(C-2)，(C-3)に示す加熱ヘッド７０，８０，１００，１０２など）に交換可能である。【００１７】
次に、図２(A)を参照して、本実施例の作用を説明する。なお、加熱ヘッド３０と電源側ユニット１２は、上述した手順により、プラグ３８Ａ，３８Ｂを差込口１８Ａ，１８Ｂに差し込んで回転させることによって接続及びロックしておくものとする。図２(A)に示す例は、金属板５０と樹脂板５４を接着剤５２によって接着する例である。図示しない電源から加熱ヘッド３０の誘導コイル３４に電流を流すと強力な磁場が発生するので、その近くに配置された金属は、電磁誘導により渦電流が発生し、抵抗により金属が発熱する。この原理は、電磁誘導加熱として公知である。本実施例では、前記誘導コイル３４に電流を流した状態で、加熱ヘッド３０の表面３２Ａ側を図２(A)に示すように、金属板５０に接触させることにより、電磁誘導によって金属板５０が発熱する。すると、発熱した金属板５０により、接着剤５２が加熱されるため、前記金属板５０と樹脂板５４が接着される。なお、図示の例は、金属板５０が加熱ヘッド３０側に配置されている場合であるが、樹脂板５４の厚みによっては、樹脂板５４と金属板５０の配置が逆であっても同様の効果を得ることができる。【００１８】
このように、実施例１によれば、電源に接続される一対の円弧状凹部からなる受部２０Ａ，２０Ｂを電源側ユニット１２に設け、内部に誘導コイル３４を有しており、前記受部２０Ａ，２０Ｂと電気的に接続するプラグ３８Ａ，３８Ｂを加熱ヘッド３０に設ける。そして、前記プラグ３８Ａ，３８Ｂを、前記受部２０Ａ，２０Ｂの差込口１８Ａ，１８Ｂに差し込んで回転させることにより、加熱ヘッド３０と電源側ユニット１２を電気的及び機械的に接続することができる。また、差し込んだプラグ３８Ａ，３８Ｂを受部２０Ａ，２０Ｂに沿って回転させることで接続状態をロックし、逆方向に回転させることでロックを解除して、加熱ヘッド３０を取り外すことができる。このように、電源側ユニット１２に対して加熱ヘッド３０を着脱可能とすることで、加熱対象の形状，大きさ，寸法に応じて、加熱ヘッドを容易に交換できるという効果が得られる。【００１９】
＜変形例＞・・・次に、本実施例の変形例を説明する。まず、図１(C)に示す電磁誘導加熱装置１０´は、電源側ユニット１２´側にプラグ３８Ａ，３８Ｂを設けた例である。プラグ３８Ａ，３８Ｂは、リード線２４Ａ，２４Ｂに接続され、コード２６にまとめられて図示しない電源に接続される。一方、加熱ヘッド３０´には、ケース３２の背面３２Ｂ側に一対の円弧状凹部の受部２０Ａ，２０Ｂが形成されている。該受部２０Ａ，２０Ｂは、誘導コイル３４の端部３４Ａ，３４Ｂに電気的に接続されている。前記電源側ユニット１２´のプラグ３８Ａ，３８Ｂを、加熱ヘッド３０´側の受部２０Ａ，２０Ｂの差込口１８Ａ，１８Ｂに差し込んで回転させることにより、電気的接続を確保しながら、電源側ユニット１２´を加熱ヘッド３０´に取り付けることができる。基本的な作用・効果は、前記図１(A)及び(B)，図２(A)に示した電磁誘導加熱装置１０の場合と同様である。【００２０】
次に、図２(B)に示す変形例について説明する。図２(A)に示した実施例では、加熱ヘッド３０の表面３２Ａ側を直に加熱対象である金属板５０に接触させることとしたが、接触時間が長くなる場合には、加熱ヘッド３０のケース３２自体も加熱によって変形するおそれがある。そこで、図２(B)に示すように、ケース表面３２Ａに適宜間隔でスペーサ４０を設け、加熱ヘッド３０の表面が直に金属板５０に接触しないようにする。あるいは、必要に応じて、前記スペーサ４０の先端に、耐熱性樹脂からなる樹脂板４１を設けるようにしてもよい。【００２１】
次に、図２(C)〜(E)に示す変形例について説明する。上述した図２(A)及び(B)に示す例では、加熱対象側に設けられた金属板を誘導加熱により発熱させることで、他の部材（樹脂板５４等）との接着を可能としたが、図２(C)〜(E)に示す構造とすることによって、加熱対象側に金属板がなくても、樹脂板同士や、樹脂板とベニヤ板等の接着が可能となる。まず、図２(C)に示す例は、加熱ヘッド３０の表面３２Ａ側に、スペーサ４０を介して、金属板４２を設けた例である。誘導コイル３４に電流を流すと、前記金属板４２が発熱するため、該金属板４２を樹脂板６０に接触させることにより、樹脂板６０を介して接着剤６２が加熱され、樹脂板６０，６４が接着される。また、加熱ヘッド３０側では、金属板４２が発熱するが、加熱ヘッド表面３２Ａとの間にスペーサ４０が設けられているため、加熱ヘッド３０自体が加熱によって変形することを防止できる。なお、前記樹脂板６０，６４は一例であって、ベニヤ板同士や、樹脂板とベニヤ板，あるいは、石膏ボードと他の建材等を接着する場合にも適用可能である。【００２２】
図２(D)に示す例は、前記図２(C)に示す例の応用例であって、前記金属板４２を上面に有するキャップ４４を、加熱ヘッド３０に対して着脱可能としたものである。前記キャップ４４の側面４６の内側には、前記加熱ヘッド３０のケース側面に設けた凹部３２Ｃに嵌る凸部４８が設けられている。このとき、金属板４２の裏面に、前記スペーサ４０を設けるようにしてもよい。図２(E)に示す例も、前記図２(C)に示す例の応用例である。図２(E)に示す加熱ヘッドは、金属板４２´の表面に、凹凸４２Ａを設けた例である。このように、凹凸４２Ａを設けた金属板４２´を加熱によって変形可能な素材に接触させることにより、前記凹凸４２Ａを加熱対象に転写することができる。【００２３】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法も一例であり、必要に応じて適宜変更してよい。例えば、前記実施例１では、加熱ヘッド３０の表面３２Ａの全体が平面形状であったが、これも一例であり、例えば、図３(A-1)に示す加熱ヘッド７０のように、ケース７２の底面７４から側面７８にかけて、テーパ７６を設けた形状としてもよい。あるいは、図３(A-2)に示す加熱ヘッド８０のように、ケース８２の底面８４から側面８６にかけて緩やかな曲面８８を設けるようにしてもよい。また、前記加熱ヘッド８０のように、加熱対象に接触させる部分を肉厚に形成するようにしてもよい。【００２４】
(2)前記実施例１では、凸状のプラグ３８Ａ，３８Ｂを円弧状凹部の受部２０Ａ，２０Ｂに差し込んで回転させることにより、接続状態をロックすることとしたが、これも一例であり、ロック機構は必要に応じて設けるようにしてもよい。あるいは、ロック機構を設ける場合も、同様の抜け止め効果を奏するものであれば、適宜設計変更可能である。例えば、特開平１０−９２５１２号公報，特開２０００−２０７９２４号公報に示す構造を利用して抜け止めを防止するようにしてもよい。また、特開２００４−１４１６１号公報に示す構造を利用して、ワンタッチで電源側ユニットと加熱ヘッドの装着と取り外しのための離脱を行うような構成としてもよい。更に、特開２００３−１４２２０２号公報に示す構造を利用して、プラグの引き抜きをしやすい構成としてもよい。【００２５】
(3)前記実施例１で示した平面渦巻き状の誘導コイル３４も一例であり、同様の効果を奏する範囲内で適宜変更可能である。例えば、図３(B-1)に示す誘導コイル９０Ａは、直方体状のコア９２Ａに巻線９４を巻回した構造となっている。また、図３(B-2)に示す誘導コイル９０Ｂは、略コ字状のコア９２Ｂに巻線９４が巻き付けられた形状であり、図３(B-3)に示す誘導コイル９０Ｃは、略Ｅ字状のコア９２Ｃに巻線９４が巻き付けられた形状である。このほかに、平面状コイルを加熱ヘッド内に複数備えるような構成としてもよい。【００２６】
(4)前記実施例１で示した加熱ヘッド３０の形状及び寸法も一例であり、必要に応じて適宜変更してよい。例えば、図３(C-1)には、前記実施例１の加熱ヘッド３０が示されているが、図３(C-2)に示す加熱ヘッド１００のように、前記加熱ヘッド３０よりも径が小さい円形の加熱ヘッドとしてもよい。あるいは、図３(C-3)に示す直方体状の加熱ヘッド１０２としてもよい。直方体状の加熱ヘッド１０２の場合には、内部に設ける誘導コイルとして、例えば、前記図３(B-1)〜(B-3)に示した誘導コイル９０Ａ〜９０Ｃを設けるようにしてもよい。【００２７】
(5)前記実施例１で用いる外部電源としては、固定型電源であってもよいし、図４(A)に示すような携帯型電源１１０であってもよい。該携帯型電源１１０に、前記コード２６を接続することで、電源側ユニット１２に電流を流すことができる。また、図４(B)に示す例のように、前記携帯型電源１１０に取手１１２を設けるとともに、該携帯型電源１１０のケースの外面に、前記電源ユニット１２と同様の受部２０Ａ，２０Ｂを設けることにより、加熱ヘッド３０のプラグ３８Ａ，３８Ｂ差し込んで使用することができる。すなわち、前記携帯型電源１１０に、前記加熱ヘッド３０を直接着脱可能とし、電磁誘導加熱を行うことができる。【００２８】
(6)前記実施例１では、電源側ユニット１２の外部の電源を利用することとしたが、図４(C)に示すように、電源側ユニット１２のケース１４の内部に電源１２０を設けるようにしてもよい。
(7)前記実施例１では、加熱対象側の金属板５０を利用して誘導加熱を行うこととしたが、図２(C)〜(E)に示すように、加熱ヘッド３０側に金属板４２，４２´を設けることにより誘導加熱する構成としてもよい。あるいは、接着剤５２が導電性材料を含むものであれば、加熱ヘッド３０側及び接着対象側のいずれにも金属板を用いることなく接着が可能である。また、本発明は、金属板のみならず、木材，合板，樹脂板，タイルの接着などにも利用でき、更に、接着のみならず、変形などの多目的な加工にも適用可能である。
【産業上の利用可能性】
【００２９】
本発明によれば、電源に電気的に接続される第１の接続部を有する電源側ユニットと、内部に誘導コイルを有しており該誘導コイルと電気的に接続する第２の接続部を有する加熱ヘッドとを備えている。そして、前記第１及び第２の接続部の一方を差込用の凸部とし、他方を、前記凸部を差し込み可能な凹部とすることで、電気的接続部と機械的接続部を兼用させ、前記電源側ユニットに対して加熱ヘッドが着脱可能な構成とした。このため、加熱対象の形状，大きさ，素材，加工目的等に応じて、加熱ヘッドを容易に交換できるので、加熱加工に用いる電磁誘導加熱装置の用途に適用できる。
【符号の説明】
【００３０】
１０，１０´：電磁誘導加熱装置
１２，１２´：電源側ユニット
１４：ケース
１６：取手
１８Ａ，１８Ｂ：差込口
２０Ａ，２０Ｂ：受部
２４Ａ，２４Ｂ：リード線
２６：コード
３０，３０´：加熱ヘッド
３２：ケース
３２Ａ：表面
３２Ｂ：背面
３２Ｃ：凹部
３４：誘導コイル
３４Ａ，３４Ｂ：端部
３６Ａ，３６Ｂ：リード線
３８Ａ，３８Ｂ：プラグ
４０：スペーサ
４１：樹脂板
４２，４２´：金属板
４２Ａ：凹凸
４４：キャップ
４６：側面
４８：凸部
５０：金属板
５２：接着剤
５４：樹脂板
６０，６４：樹脂板
６２：接着剤
７０，８０：加熱ヘッド
７２，８２：ケース
７４，８４：底面
７６：テーパ
７８，８６：側面
８８：曲面
９０Ａ〜９０Ｃ：誘導コイル
９２Ａ〜９２Ｃ：コア
９４：巻線
１００，１０２：加熱ヘッド
１１０：携帯型電源
１１２：取手
１２０：電源
【図１】
2014142169.tif 000003
【図２】
2014142169.tif 000004
【図３】
2014142169.tif 000005
【図４】
2014142169.tif 000006
【国際調査報告】
2014142169.tif 000007
2014142169.tif 000008
2014142169.tif 000009
2014142169.tif 000010